(57)【特許請求の範囲】
【請求項１】
光束を第１及び第２の波長域の光束に分離する第１のダイクロイック反射面と、該第１及び第２の波長域の光束のそれぞれを異なる方向から入射させて透過させるダイクロイック偏光ビームスプリッタと、該透過した光束のいずれかをそれぞれ変調して反射する第１，第２の反射型液晶表示素子とを備え、前記ダイクロイック偏光ビームスプリッタは、前記第１の反射型液晶表示素子からの光束を透過させ、前記第２の反射型液晶表示素子からの光束を反射して、該各々の光束を合成する事を特徴とする投影表示装置。
【請求項２】
光束を第１及び第２の波長域の光束に分離する第１のダイクロイック反射面と、該第１及び第２の波長域の光束のそれぞれを異なる方向から入射させて反射するダイクロイック偏光ビームスプリッタと、該反射された光束のいずれかをそれぞれ変調して反射する第１，第２の反射型液晶表示素子とを備え、前記ダイクロイック偏光ビームスプリッタは、前記第１の反射型液晶表示素子からの光束を反射し、前記第２の反射型液晶表示素子からの光束を透過させて、該各々の光束を合成する事を特徴とする投影表示装置。
【請求項３】
前記第１のダイクロイック反射面により分離された前記第１の波長域の光束を透過させ或いは反射して前記ダイクロイック偏光ビームスプリッタに入射させ、該ダイクロイック偏光ビームスプリッタからの合成光を透過させ或いは反射して通過させる偏光ビームスプリッタを備えた事を特徴とする請求項１又は請求項２に記載の投影表示装置。
【請求項４】
前記第１のダイクロイック反射面により分離された前記第２の波長域の光束から更に第３の波長域の光束を分離する第２のダイクロイック反射面と、該分離された第３の波長域の光束を反射する第１の偏光ビームスプリッタと、該反射された光束を変調して反射する第３の反射型液晶表示素子とを有し、前記第３の反射型液晶表示素子からの光束は前記第１の偏光ビームスプリッタを透過し、該透過した光束と前記ダイクロイック偏光ビームスプリッタにより合成された光束とを合成する第２の偏光ビームスプリッタを備えた事を特徴とする請求項１又は請求項２に記載の投影表示装置。
【請求項５】
前記ダイクロイック偏光ビームスプリッタの前に、前記第１及び第２の波長域の光束の偏光面をそれぞれ整える偏光板を設けた事を特徴とする請求項１乃至請求項４のいずれかに記載の投影表示装置。
【請求項６】
前記光束は偏光光束である事を特徴とする請求項１乃至請求項５のいずれかに記載の投影表示装置。
【請求項７】
光源と、該光源からの光束の偏光方向を所定の偏光面に揃える偏光変換器とを備え、該偏光変換器からの光束を前記第１のダイクロイック反射面に入射させる事を特徴とする請求項１乃至請求項６のいずれかに記載の投影表示装置。
【請求項８】
前記第３の波長域の光束が前記第２の偏光ビームスプリッタに入射する直前に該第３の波長域の光束の偏光面を回転させる波長板を設けた事を特徴とする請求項４乃至請求項７のいずれかに記載の投影表示装置。
【請求項９】
前記第３の波長域の光束は、赤，緑，青の三原色の光束の内、赤の波長域の光束である事を特徴とする請求項３乃至請求項８のいずれかに記載の投影表示装置。
【請求項１０】
前記第３の波長域の光束が分離された残りの前記第２の波長域の光束は、赤，緑，青の三原色の光束の内、緑の波長域の光束である事を特徴とする請求項３乃至請求項８のいずれかに記載の投影表示装置。
【請求項１１】
前記第１の波長域の光束は、赤，緑，青の三原色の光束の内、青の波長域の光束である事を特徴とする請求項３乃至請求項８のいずれかに記載の投影表示装置。
【請求項１２】
前記第１乃至第３の反射型液晶表示素子の各々の前面に、それぞれに入射する光束の波長域に対応したバンドパスフィルターを設けた事を特徴とする請求項３乃至請求項１１のいずれかに記載の投影表示装置。
【請求項１３】
前記合成された前記第１乃至第３の反射型液晶表示素子からの光束を投影する投影光学系を備えた事を特徴とする請求項３乃至請求項１２のいずれかに記載の投影表示装置。
【発明の詳細な説明】
【０００１】
【発明の属する技術分野】
本発明は、反射型液晶表示素子を用いた投影表示装置に関するものである。
【０００２】
【従来の技術】
従来より、いわゆる投影表示装置においては、例えば特開平２−７４９０３号公報に記載されている如く、色分解された照明光が、偏光ビームスプリッタと液晶表示素子及びクロスダイクロイックプリズムから成る色合成系により合成される構成の光学系が使用されている。また、特開平８−１２２７７２号公報に従来の技術として記載されている如く、３枚の反射型液晶表示素子，偏光ビームスプリッタ及び２枚のダイクロイックミラーの構成の光学系が使用されている。或いは、同じく特開平８−１２２７７２号公報に記載されている如く、３枚の反射型液晶表示素子と偏光ビームスプリッタ１つで構成される光学系が開示されている。
【０００３】
【発明が解決しようとする課題】
しかしながら、上記クロスダイクロイックプリズムを使用する構成の光学系では、そのクロスダイクロイックプリズムが高価であるために、コストアップとなる。また、上記３枚の反射型液晶表示素子，偏光ビームスプリッタ及び２枚のダイクロイックミラーの構成の光学系では、偏光ビームスプリッタと反射型液晶表示素子との間に少なくとも２枚のダイクロイックミラーが必要となるので、投影レンズと反射型液晶表示素子までのレンズバックが長くなり、投影レンズのＦナンバーが大きくなって、暗くなってしまう。
【０００４】
また、上記特開平８−１２２７７２号公報に開示されているような構成の光学系では、偏光ビームスプリッタに無偏光光を入射させているので、使用しない偏光成分の影響で、画像にフレアーが出る。また、緑色成分のＰ偏光、及び赤色，青色成分のＳ偏光は画像形成に使用せず捨てているので、光源の効率が悪い。本発明は、上記問題点を解決し、簡単な構成で、コントラストが高くて美しい画像を得る事ができ、しかもコンパクトで効率の良い投影表示装置を低コストで提供する事を目的とする。
【０００５】
【課題を解決するための手段】
上記目的を達成するために、本発明では、光束を第１及び第２の波長域の光束に分離する第１のダイクロイック反射面と、その第１及び第２の波長域の光束のそれぞれを異なる方向から入射させて透過させるダイクロイック偏光ビームスプリッタと、その透過した光束のいずれかをそれぞれ変調して反射する第１，第２の反射型液晶表示素子とを備え、前記ダイクロイック偏光ビームスプリッタは、前記第１の反射型液晶表示素子からの光束を透過させ、前記第２の反射型液晶表示素子からの光束を反射して、その各々の光束を合成する構成とする。
【０００６】
或いは、光束を第１及び第２の波長域の光束に分離する第１のダイクロイック反射面と、その第１及び第２の波長域の光束のそれぞれを異なる方向から入射させて反射するダイクロイック偏光ビームスプリッタと、その反射された光束のいずれかをそれぞれ変調して反射する第１，第２の反射型液晶表示素子とを備え、前記ダイクロイック偏光ビームスプリッタは、前記第１の反射型液晶表示素子からの光束を反射し、前記第２の反射型液晶表示素子からの光束を透過させて、その各々の光束を合成する構成とする。
【０００７】
尚、上記ダイクロイック偏光ビームスプリッタとは、所定の偏光面の光線を、波長域によって透過させるものと反射するものに切り分ける働きをするものである。
【０００８】
また、前記第１のダイクロイック反射面により分離された前記第１の波長域の光束を透過させ或いは反射して前記ダイクロイック偏光ビームスプリッタに入射させ、そのダイクロイック偏光ビームスプリッタからの合成光を透過させ或いは反射して通過させる偏光ビームスプリッタを備えた構成とする。但し、この偏光ビームスプリッタは、下記の第２の偏光ビームスプリッタと同義である。
【０００９】
さらに、前記第１のダイクロイック反射面により分離された前記第２の波長域の光束から更に第３の波長域の光束を分離する第２のダイクロイック反射面と、その分離された第３の波長域の光束を反射する第１の偏光ビームスプリッタと、その反射された光束を変調して反射する第３の反射型液晶表示素子とを有し、前記第３の反射型液晶表示素子からの光束は前記第１の偏光ビームスプリッタを透過し、その透過した光束と前記ダイクロイック偏光ビームスプリッタにより合成された光束とを合成する第２の偏光ビームスプリッタを備えた構成とする。
【００１０】
また、前記ダイクロイック偏光ビームスプリッタの前に、前記第１及び第２の波長域の光束の偏光面をそれぞれ整える偏光板を設けた構成とする。また、前記光束は偏光光束である構成とする。そして、光源と、その光源からの光束の偏光方向を所定の偏光面に揃える偏光変換器とを備え、その偏光変換器からの光束を前記第１のダイクロイック反射面に入射させる構成とする。
【００１１】
また、前記第３の波長域の光束が前記第２の偏光ビームスプリッタに入射する直前にその第３の波長域の光束の偏光面を回転させる波長板を設けた構成とする。
【００１２】
また、前記第３の波長域の光束は、赤，緑，青の三原色の光束の内、赤の波長域の光束である構成とする。そして、前記第３の波長域の光束が分離された残りの前記第２の波長域の光束は、赤，緑，青の三原色の光束の内、緑の波長域の光束である構成とする。さらに、前記第１の波長域の光束は、赤，緑，青の三原色の光束の内、青の波長域の光束である構成とする。
【００１３】
また、前記第１乃至第３の反射型液晶表示素子の各々の前面に、それぞれに入射する光束の波長域に対応したバンドパスフィルターを設けた構成とする。また、前記合成された前記第１乃至第３の反射型液晶表示素子からの光束を投影する投影光学系を備えた構成とする。
【００１４】
【発明の実施の形態】
以下、本発明の実施の形態について、図面を参照しながら説明する。図１は、本発明の第１の実施形態を模式的に示す図である。同図において、１は白色光源、２は白色光源１を取り囲むように配設され、白色光源１からの光を反射するリフレクター、３は白色光源１の側方に配設され、白色光源１からの光を一定の偏光光となるように変換する偏光変換器である。本実施形態においては、後述するミラー，プリズム等に対し、Ｐ偏光に変換して使用する例を示している。
【００１５】
この偏光変換器３は、破線の矢印Ｓで示すＳ偏光成分を反射させつつ通過させ、実線の矢印Ｐで示すＰ偏光成分を透過させる偏光ビームスプリッタ４と、通過したＳ偏光成分の偏光面を回転させてＰ偏光とする１／２波長板５とから成っている。以上が照明光学系である。尚、図示しないが、この照明光学系による照明のムラをなくすために、一般的にインテグレーター光学系を付加するという事も行われる。
【００１６】
また、１０１，１０２はダイクロイックミラー、２０１，２０３はダイクロイック偏光ビームスプリッタ、２０２は偏光ビームスプリッタ、斜線で示す３０１〜３０３は反射型液晶表示素子、４０１は反射ミラー、縞模様で示す５０１〜５０３，５０７は偏光板、点模様で示す６０１〜６０３はバンドパスフィルター、無地の７０１は１／２波長板、６は光路長を補正するリレー光学系である。
【００１７】
同図に示すように、白色光源１からの直接光及びリフレクター２の反射光が混在した照明光（白色光束）は、偏光変換器３において、Ｐ偏光成分は透過し、Ｓ偏光成分はＰ偏光に変換された後、ダイクロイックミラー１０１に達する。ここではＰ偏光となった白色光束の内、青色（Ｂ）成分のみを透過させ、それ以外の緑色（Ｇ），赤色（Ｒ）成分を反射する。
【００１８】
ダイクロイックミラー１０１を透過したＢ成分は、反射ミラー４０１により反射され、リレー光学系６を通過し、更に２枚の反射ミラー４０１により反射され、偏光板５０３により偏光方向を整えられた上でダイクロイック偏光ビームスプリッタ２０３に達する。ここではＰ偏光であるＢ成分は透過し、更にダイクロイック偏光ビームスプリッタ２０１を透過し、バンドパスフィルター６０１により波長域を整えられた上で、反射型液晶表示素子３０１上の各画素を照明する。
【００１９】
反射型液晶表示素子３０１では、各時点において画面表示に使用する画素をＯＮとして、ここに入射してきたＢ成分の光束のＰ偏光をＳ偏光に変換して反射し、使用しない画素をＯＦＦとしてＰ偏光のまま反射する。反射型液晶表示素子３０１により反射されたＢ成分は、再びダイクロイック偏光ビームスプリッタ２０１に達する。ここではＳ偏光であるＢ成分は透過し、続いてダイクロイック偏光ビームスプリッタ２０３で反射される。
【００２０】
一方、ダイクロイックミラー１０１により反射されたＧ，Ｒ成分は、ダイクロイックミラー１０２に達する。ここではＰ偏光であるＲ成分が透過し、同じくＰ偏光であるＧ成分が反射され、両者が分離される。この、Ｐ偏光であるＲ成分は、１／２波長板７０１により偏光面を回転されてＳ偏光となり、偏光板５０２により偏光方向を整えられた上で偏光ビームスプリッタ２０２で反射され、バンドパスフィルター６０２により波長域を整えられた上で、反射型液晶表示素子３０２上の各画素を照明する。
【００２１】
ここでは、各時点において画面表示に使用する画素をＯＮとして、ここに入射してきたＲ成分の光束のＳ偏光をＰ偏光に変換して反射し、使用しない画素をＯＦＦとしてＳ偏光のまま反射する。反射型液晶表示素子３０２により反射されたＲ成分は、再び偏光ビームスプリッタ２０２に達する。ここではＲ成分のＰ偏光のみ透過し、１／２波長板７０１により偏光面を回転されてＳ偏光となり、ダイクロイック偏光ビームスプリッタ２０３を透過する。
【００２２】
また、ダイクロイックミラー１０２で分離された、Ｐ偏光であるＧ成分は、偏光板５０１により偏光方向を整えられた上でダイクロイック偏光ビームスプリッタ２０１に達する。ここではＰ偏光であるＧ成分は透過し、バンドパスフィルター６０３により波長域を整えられた上で、反射型液晶表示素子３０３上の各画素を照明する。
【００２３】
反射型液晶表示素子３０３では、各時点において画面表示に使用する画素をＯＮとして、ここに入射してきたＧ成分の光束のＰ偏光をＳ偏光に変換して反射し、使用しない画素をＯＦＦとしてＰ偏光のまま反射する。反射型液晶表示素子３０３により反射されたＧ成分は、再びダイクロイック偏光ビームスプリッタ２０１に達する。ここではＳ偏光であるＧ成分は反射され、更にダイクロイック偏光ビームスプリッタ２０３で反射される。
【００２４】
最終的に、それぞれＳ偏光であるＲ，Ｇ，Ｂ成分はダイクロイック偏光ビームスプリッタ２０３で合成され、三原色の色合成が果たされた上で、偏光板５０７により偏光方向を整えられ、図示しない投影光学系へと導かれる。
【００２５】
図２は、本発明の第２の実施形態を模式的に示す図である。同図において、１は白色光源、２は白色光源１を取り囲むように配設され、白色光源１からの光を反射するリフレクター、３は白色光源１の側方に配設され、白色光源１からの光を一定の偏光光となるように変換する偏光変換器である。本実施形態においては、Ｓ偏光に変換して使用する例を示している。
【００２６】
この偏光変換器３は、破線の矢印Ｓで示すＳ偏光成分を反射させつつ通過させ、実線の矢印Ｐで示すＰ偏光成分を透過させる偏光ビームスプリッタ４と、透過したＰ偏光成分の偏光面を回転させてＳ偏光とする１／２波長板５とから成っている。以上が照明光学系である。尚、図示しないが、この照明光学系による照明のムラをなくすために、一般的にインテグレーター光学系を付加するという事も行われる。
【００２７】
また、１０１，１０２はダイクロイックミラー、２０４はダイクロイック偏光ビームスプリッタ、２０２，２０５は偏光ビームスプリッタ、斜線で示す３０１〜３０３は反射型液晶表示素子、４０１は反射ミラー、縞模様で示す５０２，５０４〜５０６は偏光板、点模様で示す６０１〜６０３はバンドパスフィルター、無地の７０１は１／２波長板、６は光路長を補正するリレー光学系である。
【００２８】
同図に示すように、白色光源１からの直接光及びリフレクター２の反射光が混在した照明光（白色光束）は、偏光変換器３において、Ｓ偏光成分は通過し、Ｐ偏光成分はＳ偏光に変換された後、ダイクロイックミラー１０１に達する。ここではＳ偏光となった白色光束の内、青色（Ｂ）成分のみを透過させ、それ以外の緑色（Ｇ），赤色（Ｒ）成分を反射する。
【００２９】
ダイクロイックミラー１０１を透過したＢ成分は、反射ミラー４０１により反射され、リレー光学系６を通過し、更に反射ミラー４０１により反射され、偏光板５０５により偏光方向を整えられた上で偏光ビームスプリッタ２０５に達する。ここではＳ偏光であるＢ成分は反射され、更にダイクロイック偏光ビームスプリッタ２０４で反射され、バンドパスフィルター６０１により波長域を整えられた上で、反射型液晶表示素子３０１上の各画素を照明する。
【００３０】
反射型液晶表示素子３０１では、各時点において画面表示に使用する画素をＯＮとして、ここに入射してきたＢ成分の光束のＳ偏光をＰ偏光に変換して反射し、使用しない画素をＯＦＦとしてＳ偏光のまま反射する。反射型液晶表示素子３０１により反射されたＢ成分は、再びダイクロイック偏光ビームスプリッタ２０４に達する。ここではＰ偏光であるＢ成分は反射され、続いて偏光ビームスプリッタ２０５を透過する。
【００３１】
一方、ダイクロイックミラー１０１により反射されたＧ，Ｒ成分は、ダイクロイックミラー１０２に達する。ここではＳ偏光であるＲ成分が透過し、同じくＳ偏光であるＧ成分が反射され、両者が分離される。この、Ｓ偏光であるＲ成分は、偏光板５０２により偏光方向を整えられた上で偏光ビームスプリッタ２０２で反射され、バンドパスフィルター６０２により波長域を整えられた上で、反射型液晶表示素子３０２上の各画素を照明する。
【００３２】
ここでは、各時点において画面表示に使用する画素をＯＮとして、ここに入射してきたＲ成分の光束のＳ偏光をＰ偏光に変換して反射し、使用しない画素をＯＦＦとしてＳ偏光のまま反射する。反射型液晶表示素子３０２により反射されたＲ成分は、再び偏光ビームスプリッタ２０２に達する。ここではＲ成分のＰ偏光のみ透過し、偏光板５０６により偏光方向を整えられた上で、１／２波長板７０１により偏光面を回転されてＳ偏光となり、偏光ビームスプリッタ２０５に反射される。
【００３３】
また、ダイクロイックミラー１０２で分離された、Ｓ偏光であるＧ成分は、偏光板５０４により偏光方向を整えられた上でダイクロイック偏光ビームスプリッタ２０４に達する。ここではＳ偏光であるＧ成分は反射され、バンドパスフィルター６０３により波長域を整えられた上で、反射型液晶表示素子３０３上の各画素を照明する。
【００３４】
反射型液晶表示素子３０３では、各時点において画面表示に使用する画素をＯＮとして、ここに入射してきたＧ成分の光束のＳ偏光をＰ偏光に変換して反射し、使用しない画素をＯＦＦとしてＳ偏光のまま反射する。反射型液晶表示素子３０３により反射されたＧ成分は、再びダイクロイック偏光ビームスプリッタ２０４に達する。ここではＰ偏光であるＧ成分は透過し、更に偏光ビームスプリッタ２０５を透過する。
【００３５】
最終的に、Ｐ偏光であるＧ，Ｂ成分と、Ｓ偏光であるＲ成分は偏光ビームスプリッタ２０５で合成され、三原色の色合成が果たされた上で、図示しない投影光学系へと導かれる。尚、上記第１，第２の実施形態のそれぞれにおいて、各色成分についての投影光学系から反射型液晶表示素子までのレンズバックは同じになるように構成している。
【００３６】
図３は、本発明における偏光ビームスプリッタの、各色成分の波長域に対する透過率特性を示す図であり、（ａ）〜（ｅ）はそれぞれ偏光ビームスプリッタ２０１〜２０５の特性を示している。同図において、破線はＰ偏光、実線はＳ偏光を表している。同図（ａ）に示すように、ダイクロイック偏光ビームスプリッタ２０１は、Ｐ偏光についてはＢ成分，Ｇ成分の波長域の光をほぼ１００％透過させ、Ｓ偏光についてはＢ成分の波長域の光をほぼ１００％透過させ、Ｇ成分の波長域の光をほぼ１００％反射する特性を有している。
【００３７】
また、同図（ｂ）に示すように、偏光ビームスプリッタ２０２は、Ｐ偏光についてはＧ成分，Ｒ成分の波長域の光をほぼ１００％透過させ、Ｓ偏光についてはＧ成分，Ｒ成分の波長域の光をほぼ１００％反射する特性を有している。
【００３８】
また、同図（ｃ）に示すように、ダイクロイック偏光ビームスプリッタ２０３は、Ｐ偏光についてはＢ成分，Ｇ成分，Ｒ成分の波長域の光をほぼ１００％透過させ、Ｓ偏光についてはＲ成分の波長域の光をほぼ１００％透過させ、Ｇ成分，Ｂ成分の波長域の光をほぼ１００％反射する特性を有している。
【００３９】
また、同図（ｄ）に示すように、ダイクロイック偏光ビームスプリッタ２０４は、Ｐ偏光についてはＧ成分の波長域の光をほぼ１００％透過させ、Ｂ成分の波長域の光をほぼ１００％反射し、Ｓ偏光についてはＢ成分，Ｇ成分の波長域の光をほぼ１００％反射する特性を有している。
【００４０】
また、同図（ｅ）に示すように、偏光ビームスプリッタ２０５は、Ｐ偏光についてはＢ成分，Ｇ成分，Ｒ成分の波長域の光をほぼ１００％透過させ、Ｓ偏光についてはＢ成分，Ｇ成分，Ｒ成分の波長域の光をほぼ１００％反射する特性を有している。
【００４１】
上記各偏光ビームスプリッタは、マクナイル型偏光子と呼ばれるプリズム型偏光子を使用している。上述の各偏光ビームスプリッタの特性は、２種類の異なった屈折率の層を交互に積層する事で得る事ができる。
【００４２】
図４，図５は、その透過率特性（膜特性）の具体例を示すグラフである。まず、図４は、上記ダイクロイック偏光ビームスプリッタ２０１に相当する特性を示すものであり、同図において、破線はＰ偏光、実線はＳ偏光を表している。これは、以下の表１に示すように、ガラスプリズム（第０層，第１８層）に挟まれた１７層のコーティング膜をそれぞれの屈折率，光学的膜厚ｎｄ／λ０  で設けたものである。尚、基準波長λ０  は、８６５．８３５６ｎｍである。
【００４３】
0003603588.tif 000002
【００４４】
次に、図５は、上記ダイクロイック偏光ビームスプリッタ２０３に相当する特性を示すものであり、同図において、破線はＰ偏光、実線はＳ偏光を表している。これは、以下の表２に示すように、ガラスプリズム（第０層，第１８層）に挟まれた１７層のコーティング膜をそれぞれの屈折率，光学的膜厚ｎｄ／λ０  で設けたものである。尚、基準波長λ０  は、６５０．９５９５ｎｍである。
【００４５】
0003603588.tif 000003
【００４６】
【発明の効果】
以上説明したように、本発明によれば、簡単な構成で、コントラストが高くて美しい画像を得る事ができ、しかもコンパクトで効率の良い投影表示装置を低コストで提供する事ができる。
【００４７】
特に、請求項１或いは請求項２によるならば、クロスダイクロイックプリズムのような高価な光学部品を使わなくて済むので、コストダウンを図る事ができ、また、いわゆるレンズバックが短くて済み、投影光学系を明るくする事ができる。
【００４８】
また、請求項３によるならば、各波長域の分離，合成における低コストで簡単な構成を実現する事ができる。
【００４９】
また、請求項４によるならば、３波長域の分離，合成における低コストで簡単な構成を実現する事ができる。
【００５０】
また、請求項５或いは請求項６によるならば、ダイクロイック偏光ビームスプリッタにＳ，Ｐ偏光とも入射する事を防ぎ、さらには偏光方向を整えて、フレアーの影響を抑える事ができる。
【００５１】
また、請求項７によるならば、同様にしてフレアーの影響を抑える事ができるとともに、光源の効率を高める事ができる。
【００５２】
また、請求項８によるならば、投影光となる光束の偏光面を揃え、まとめて整える事ができる。
【００５３】
また、請求項９乃至請求項１１によるならば、波長域の視感度に応じた光路構成とする事により、できるだけ画像性能の高い構成とする事ができる。
【００５４】
また、請求項１２によるならば、各反射型液晶表示素子に不用な波長域の光束が入らないようにし、画像性能を高める事ができる。
【００５５】
また、請求項１３によるならば、投影表示装置の基本構成を確立する事ができる。
【図面の簡単な説明】
【図１】本発明の第１の実施形態を模式的に示す図。
【図２】本発明の第２の実施形態を模式的に示す図。
【図３】偏光ビームスプリッタの透過率特性を示す図。
【図４】透過率特性（膜特性）の具体例を示すグラフ。
【図５】透過率特性（膜特性）の具体例を示すグラフ。
【符号の説明】
１    白色光源
２    リフレクター
３    偏光変換器
４    偏光ビームスプリッタ
５    １／２波長板
１０１，１０２    ダイクロイックミラー
２０１，２０３，２０４    ダイクロイック偏光ビームスプリッタ
２０２，２０５    偏光ビームスプリッタ
３０１〜３０３    反射型液晶表示素子
４０１    反射ミラー
５０１〜５０７    偏光板
６０１〜６０３    バンドパスフィルター
７０１    １／２波長板
【図１】
0003603588.tif 000004
【図２】
0003603588.tif 000005
【図３】
0003603588.tif 000006
【図４】
0003603588.tif 000007
【図５】
0003603588.tif 000008